【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
アイデンティティ認証方法であって、前記方法は、
ユーザの顔面特徴情報を入手することであって、前記ユーザの顔面特徴情報を入手することが、
前記ユーザの顔が検出されると前記ユーザの前記顔を追跡することと、
前記顔を追跡しているときに、プリセット時間間隔に従って顔画像を入手することと、
前記顔画像がプリセット特徴抽出条件を満たすか否かを判断することと、
前記特徴抽出条件が満たされていることに応答して、前記顔画像から前記ユーザの前記顔面特徴情報を抽出することと、を含むことと、
前記顔面特徴情報を前記ユーザの第一の顔面特徴情報として使用することと、
前記第一の顔面特徴情報が、保存されている前記ユーザの第二の顔面特徴情報とマッチしたことの照合に応答して、動的顔認証プロンプト情報をサーバが送信できるように前記ユーザの前記第一の顔面特徴情報を前記サーバに送信することと、
前記サーバによって送信された前記動的顔認証プロンプト情報をユーザのアイデンティティ認証の間に受信することと、
前記ユーザによって見せられる顔面ジェスチャを認識することによって、前記動的顔認証プロンプト情報のジェスチャ認識情報を取得することと、
前記ジェスチャ認識情報が前記動的顔認証プロンプト情報と一致することを照合すると、前記ユーザについてアイデンティティ認証が成功したことを前記サーバが承認することを可能とするために前記ジェスチャ認識情報を前記サーバに送信することと、
を含む方法。
【請求項２】
ユーザ登録中に前記ユーザの顔面特徴情報を入手し、前記ユーザの前記第二の顔面特徴情報として、前記登録中に入手された前記顔面特徴情報を使用することと、
前記ユーザのユーザ名と前記第二の顔面特徴情報との間の対応関係を前記サーバが保存することを可能とするために前記第二の顔面特徴情報を前記サーバに送信することと、
をさらに含む、請求項１に記載の方法。
【請求項３】
前記顔画像が前記プリセット特徴抽出条件を満たすか否かを判断することが、
前記顔画像の解像度がプリセット解像度閾値を満たしているか否かを判断することと、
前記解像度閾値が満たされている場合に、前記顔画像から頭部ジェスチャ情報を抽出することであって、前記頭部ジェスチャ情報は、頭部を下げた／上げた角度、顔を回転した角度、または頭部を傾けた角度のうちの少なくとも一つを含む、ことと、
前記頭部ジェスチャ情報内に含まれる各角度がそれぞれのプリセット角度範囲内に収まるか否かを判断することと、
各角度が前記それぞれのプリセット角度範囲内に収まるときに、前記顔画像が前記特徴抽出条件を満たしていると判断することと、
を含む、請求項１または請求項２に記載の方法。
【請求項４】
前記ユーザによって見せられる顔面ジェスチャを認識することによって、前記動的顔認証プロンプト情報の前記ジェスチャ認識情報を取得することが、
前記ユーザが前記動的顔認証プロンプト情報に従って顔面ジェスチャを見せたときに、前記ユーザの前記顔を追跡することによって顔追跡情報を取得することと、
前記顔追跡情報を解析して前記ユーザの前記ジェスチャ認識情報を取得することと、
を含む、請求項１から３のいずれか１項に記載の方法。
【請求項５】
前記顔追跡情報を解析して前記ユーザの前記ジェスチャ認識情報を取得することが、
前記顔追跡情報が顔面キーポイント位置情報であるときに、前記顔面キーポイント位置情報を解析することによって前記ユーザの表情ジェスチャ認識情報を取得すること、または
前記顔追跡情報が頭部ジェスチャ情報であるときに、前記頭部ジェスチャ情報を解析することによって前記ユーザの頭部回転認識情報を取得すること、
を含む、請求項４に記載の方法。
【請求項６】
前記動的顔認証プロンプト情報が、表情アクションプロンプト情報または音声読み出しプロンプト情報のうちの少なくとも一つを含む、請求項１から５のいずれか１項に記載の方法。
【請求項７】
前記動的顔認証プロンプト情報が前記音声読み出しプロンプト情報を含み、前記ジェスチャ認識情報を取得することが、
前記ユーザの口形状および音声情報を取得することと、
前記音声読み出しプロンプト情報を読むときに前記ユーザの一つまたは複数の口形状を認識し、音声認識を通して前記音声情報から前記ユーザの音声情報を取得することであって、前記一つまたは複数の口形状を認識して前記音声情報を取得することは、前記サーバが、前記ジェスチャ認識情報を照合するときに、前記音声情報が前記音声読み出しプロンプト情報と一致するか否かを判断することを可能とし、前記音声情報が前記音声読み出しプロンプト情報と一致し、前記ジェスチャ認識情報が前記動的顔認証プロンプト情報と一致することを照合すると、前記ユーザについて前記アイデンティティ認証が成功したと判断されることと、
を含む、請求項６に記載の方法。
【請求項８】
アイデンティティ認証装置であって、前記装置は、
ユーザの顔面特徴情報を入手し、前記ユーザの第一の顔面特徴情報として、アイデンティティ認証の間に入手された前記顔面特徴情報を使用するように構成された入手ユニットと、
前記ユーザのアイデンティティ認証中に、サーバによって送信された動的顔認証プロンプト情報を受信するように構成された受信ユニットと、
前記ユーザによって見せられる顔面ジェスチャを認識することによって、前記動的顔認証プロンプト情報のジェスチャ認識情報を取得するように構成された認識ユニットと、
送信ユニットであって、
前記第一の顔面特徴情報が、保存されている前記ユーザの第二の顔面特徴情報とマッチしたことの照合に応答して、前記サーバが前記動的顔認証プロンプト情報を送信できるように前記ユーザの前記第一の顔面特徴情報を前記サーバに送信し、
前記ジェスチャ認識情報が前記動的顔認証プロンプト情報と一致することを照合すると、前記サーバが、前記ユーザの前記アイデンティティ認証が成功したことを承認することを可能とするために前記ジェスチャ認識情報を前記サーバに送信する
ように構成された送信ユニットと、を備え、
前記入手ユニットが、
前記ユーザの顔が検出されたときに前記ユーザの前記顔を追跡するように構成された顔追跡サブユニットと、
前記顔が追跡されているときに、プリセット時間間隔に従って顔画像を入手するように構成された画像入手サブユニットと、
前記顔画像がプリセット特徴抽出条件を満たすか否かを判断するように構成された条件決定サブユニットと、
前記特徴抽出条件が満たされているときに、前記顔画像から前記ユーザの前記顔面特徴情報を抽出するように構成された特徴抽出サブユニットと、を備えた
アイデンティティ認証装置。
【請求項９】
前記認識ユニットが、
前記ユーザが前記動的顔認証プロンプト情報に従って顔面ジェスチャを見せたときに、前記ユーザの前記顔を追跡することによって顔追跡情報を取得するように構成された顔情報取得サブユニットと、
前記顔追跡情報を解析して前記ユーザの前記ジェスチャ認識情報を取得するように構成された顔情報解析サブユニットと、を備えた、請求項８に記載の装置。
【請求項１０】
前記顔情報解析サブユニットが、
前記顔追跡情報が顔面キーポイント位置情報であるときに、前記顔面キーポイント位置情報を解析することによって前記ユーザの表情ジェスチャ認識情報を取得する、または
前記顔追跡情報が頭部ジェスチャ情報であるときに、前記頭部ジェスチャ情報を解析することによって前記ユーザの頭部回転認識情報を取得するようにさらに構成された、請求項９に記載の装置。
【請求項１１】
前記入手ユニットが、さらに、ユーザ登録中の前記ユーザの顔面特徴情報を入手し、前記ユーザの前記第二の顔面特徴情報として、前記登録中に入手された前記顔面特徴情報を使用するように構成されており、かつ
前記送信ユニットが、さらに、前記サーバが、前記ユーザのユーザ名と前記第二の顔面特徴情報との間の対応関係を保存できるように前記第二の顔面特徴情報を前記サーバに送信するように構成された、請求項８から１０のいずれか１項に記載の装置。
【請求項１２】
前記条件決定サブユニットが、
前記顔画像の解像度がプリセット解像度閾値を満たしているか否かを判断するように構成された解像度決定モジュールと、
前記解像度閾値が満たされている場合に、前記顔画像から頭部ジェスチャ情報を抽出するように構成されたジェスチャ情報抽出モジュールであって、前記頭部ジェスチャ情報は、頭部を下げた／上げた角度、顔を回転した角度、または頭部を傾けた角度のうちの少なくとも一つを含む、ジェスチャ情報抽出モジュールと、
前記頭部ジェスチャ情報内に含まれる各角度がそれぞれのプリセット角度範囲内に収まるか否かを判断するように構成された角度決定モジュールと、
各角度が前記それぞれのプリセット角度範囲内に収まる場合に、前記顔画像が前記特徴抽出条件を満たしていると判断するように構成された判定決定モジュールと、を備えた、請求項８から１１のいずれか１項に記載の装置。
【請求項１３】
端末であって、
一つまたは複数のプロセッサと、
前記一つまたは複数のプロセッサによって実行可能な命令を記憶するメモリと、を備え、前記一つまたは複数のプロセッサが、
ユーザの顔面特徴情報を入手し、前記ユーザの顔面特徴情報を入手することが、
前記ユーザの顔が検出されると前記ユーザの前記顔を追跡し、
前記顔を追跡しているときに、プリセット時間間隔に従って顔画像を入手し、
前記顔画像がプリセット特徴抽出条件を満たすか否かを判断し、
前記特徴抽出条件が満たされていることに応答して、前記顔画像から前記ユーザの顔面特徴情報を抽出すること、を含み、
前記顔面特徴情報を前記ユーザの第一の顔面特徴情報として使用し、
前記第一の顔面特徴情報が、保存されている前記ユーザの第二の顔面特徴情報とマッチしたことの照合に応答して、動的顔認証プロンプト情報をサーバが送信できるように前記ユーザの前記第一の顔面特徴情報を前記サーバに送信し、
ユーザのアイデンティティ認証の間に前記サーバによって送信された前記動的顔認証プロンプト情報を受信し、
前記ユーザによって見せられる顔面ジェスチャを認識することによって、前記動的顔認証プロンプト情報のジェスチャ認識情報を取得し、
前記ジェスチャ認識情報が前記動的顔認証プロンプト情報と一致したことを照合すると、前記ユーザが前記アイデンティティ認証をパスしていることを前記サーバが承認することを可能とするために前記ジェスチャ認識情報を前記サーバに送信するように構成された、端末。
【請求項１４】
前記顔画像が前記プリセット特徴抽出条件を満たすか否かを判断することが、
前記顔画像の解像度がプリセット解像度閾値を満たしているか否かを判断し、
前記解像度閾値が満たされている場合に、前記顔画像から頭部ジェスチャ情報を抽出し、前記頭部ジェスチャ情報は、頭部を下げた／上げた角度、顔を回転した角度、または頭部を傾けた角度のうちの少なくとも一つを含み、
前記頭部ジェスチャ情報内に含まれる各角度がそれぞれのプリセット角度範囲内に収まるか否かを判断し、
各角度が前記それぞれのプリセット角度範囲内に収まるときに、前記顔画像が前記特徴抽出条件を満たしていると判断すること
を含む、請求項１３に記載の端末。
【請求項１５】
前記動的顔認証プロンプト情報が音声読み出しプロンプト情報を含み、前記ジェスチャ認識情報を取得することが、
前記ユーザの口形状および音声情報を取得し、
前記音声読み出しプロンプト情報を読むときに前記ユーザの一つまたは複数の口形状を認識し、音声認識を介して前記音声情報から前記ユーザの音声情報を取得し、前記一つまたは複数の口形状を認識することと前記音声情報を取得することは、前記サーバが、前記ジェスチャ認識情報を照合するときに、前記音声情報が前記音声読み出しプロンプト情報と一致するか否かを判断することを可能とし、前記音声情報が前記音声読み出しプロンプト情報と一致し、前記ジェスチャ認識情報が前記動的顔認証プロンプト情報と一致することを照合すると、前記ユーザについて前記アイデンティティ認証が成功したと判断されることと、
を含む、請求項１３または請求項１４に記載の端末。